(57)【要約】  前面カバーの取り外しが容易であり、かつ、口金がねじ込み形であってもソケットへの装着が容易な光源装置を提供することを目的とし、開口１１を有する筒状のボディ１０と、前記ボディ１０の内部に収容された発光モジュール２０と、前記ボディ１０の前記開口に取り付けられた前面カバー４０と、を備える光源装置１において、前記ボディ１０の開口側端部１０ａには環状のフランジ部１４が設けられ、前記前面カバー４０の外周縁部４３には複数の爪部４４が設けられていると共に、前記前面カバー４０は、前記フランジ部１４を前記外周縁部４３で覆うようにして前記開口側端部１０ａに嵌め込まれており、前記フランジ部１４には、少なくとも１つの前記爪部４４が接触することによって、前記カバーが、前記ボディ１０の筒軸Ｊを中心として回転することを規制するためのストッパ面１５ａが形成された構成とする。
2012098594.tif 000002
【特許請求の範囲】
【請求項１】
開口を有する筒状のボディと、前記ボディの内部に収容された発光モジュールと、前記ボディの前記開口に取り付けられた前面カバーと、を備える光源装置であって、
前記ボディの開口側端部には環状のフランジ部が設けられ、前記前面カバーの外周縁部には複数の爪部が設けられていると共に、前記前面カバーは、前記フランジ部を前記外周縁部で覆うようにして前記開口側端部に嵌め込まれており、
前記フランジ部には、少なくとも１つの前記爪部が接触することによって、前記前面カバーが、前記ボディの筒軸を中心として回転することを規制するためのストッパ面が形成されていることを特徴とする光源装置。
【請求項２】
前記複数の爪部は前記フランジ部の後側に回り込んでおり、前記フランジ部の後面には前記ストッパ面を有する突起が設けられていることを特徴とする請求項１記載の光源装置。
【請求項３】
前記突起のストッパ面は、前記フランジ部の後面に対して垂直になるように、または、前記フランジ部の後面と鋭角で対向するように、形成されていることを特徴とする請求項２記載の光源装置。
【請求項４】
前記突起のフランジ部周方向の幅は、前記ボディの筒軸から最も遠い部分において最大であることを特徴とする請求項２または３に記載の光源装置。
【発明の詳細な説明】
【技術分野】
【０００１】
本発明は、ＬＥＤ（発光ダイオード）モジュールなどの発光モジュールを光源とする光源装置に関する。
【背景技術】
【０００２】
従来から、ＬＥＤモジュールを光源とする光源装置が、ハロゲン電球や白熱電球の代替品として利用されている。【０００３】
このような光源装置の一例として、特許文献１には、図８に示すようなねじ込み形の口金８０１を備えたＬＥＤランプ８００が開示されている。当該ＬＥＤランプ８００のＬＥＤモジュール８０２は、円筒状のボディ８０３の内部に収容されており、ボディ８０３の前方開口は前面カバー８０４によって塞がれている。そして、前面カバー８０４のボディ８０３への取り付けは、前面カバー８０４に設けられた複数の爪部８０５をボディ８０３の内面に設けられた係止溝８０６に係止させることによって行なわれている。【０００４】
しかしながら、ＬＥＤランプ８００のような係止構造の場合は、爪部８０５がボディ８０３の内側に隠れてしまうため、リサイクルなどでＬＥＤランプ８００を分解する際に、爪部８０５を係止溝８０６から外し難い。したがって、前面カバー８０４をボディ８０３から取り外し難い。【０００５】
そこで、図９に示すような光源装置９００が提案されている。当該光源装置９００では、発光モジュール９０１を収容した椀状のボディ９０２の開口側端部に環状のフランジ部９０３が設けられていると共に、前面カバー９０４の外周縁部に複数の爪部９０５が設けられている。そして、前面カバー９０４のボディ９０２への取り付けは、前面カバー９０４をボディ９０２の開口側端部に嵌め込み、フランジ部９０３に複数の爪部９０５を外側多方向から掴むように係止させることによって行なわれている。【０００６】
光源装置９００のような係止構造であれば、爪部９０５がボディ９０２の外側に出ているため、ＬＥＤランプ９００を分解する際に、爪部９０５をフランジ部９０３から外し易く、前面カバー９０４をボディ９０２から取り外し易い。
【先行技術文献】
【特許文献】
【０００７】
【特許文献１】特開２００９−０９３９２６号公報
【発明の概要】
【発明が解決しようとする課題】
【０００８】
しかしながら、光源装置９００のような係止構造を、ねじ込み形の口金を備えた光源装置に採用することは難しい。なぜなら、ねじ込み形の口金を備えた光源装置は、掴み易い前面カバーを手で掴んでＬＥＤランプを回転させ、口金をソケットに螺合させて照明器具に装着されるが、フランジ部を複数の爪部で外側多方向から掴むような態様の係止構造では、ボディに対して前面カバーが空回りし、前面カバーに付与した回転力が口金まで上手く伝わらない。したがって、口金をソケットに螺合し難く、光源装置をソケットに装着し難い。【０００９】
本発明は、上記の課題に鑑み、前面カバーの取り外しが容易であり、かつ、口金がねじ込み形であってもソケットへの装着が容易な光源装置を提供することを目的とする。
【課題を解決するための手段】
【００１０】
上記目的を達成するために、本発明に係る光源装置は、開口を有する筒状のボディと、前記ボディの内部に収容された発光モジュールと、前記ボディの前記開口に取り付けられた前面カバーと、を備える光源装置であって、前記ボディの開口側端部には環状のフランジ部が設けられ、前記前面カバーの外周縁部には複数の爪部が設けられていると共に、前記前面カバーは、前記フランジ部を前記外周縁部で覆うようにして前記開口側端部に嵌め込まれており、前記フランジ部には、少なくとも１つの前記爪部が接触することによって、前記前面カバーが、前記ボディの筒軸を中心として回転することを規制するためのストッパ面が形成されていることを特徴とする。
【発明の効果】
【００１１】
本発明に係る光源装置は、ボディのフランジ部に、少なくとも１つの爪部が接触することによって、前記前面カバーが、前記ボディの筒軸を中心として回転することを規制するためのストッパ面が形成されているため、前記前面カバーを掴んで回転させた際に、少なくとも１つの爪部が前記ストッパ面に接触して前記前面カバーの回転が規制される。したがって、ボディに対して前面カバーが空回りし難く、光源装置をソケットに装着し易い。
【図面の簡単な説明】
【００１２】
【図１】本実施形態に係る光源装置を示す斜視図
【図２】本実施形態に係る光源装置を示す分解斜視図
【図３】本実施形態に係るボディを示す斜視図
【図４】本実施形態に係る突起を説明するための図
【図５】本実施形態に係る前面カバーを説明するための図
【図６】突起による爪部の移動規制の態様を説明するための図
【図７】変形例に係る前面カバーを示す斜視図
【図８】従来の光源装置を示す断面図
【図９】従来の光源装置を示す断面図
【発明を実施するための形態】
【００１３】
以下、本発明に係る光源装置の一実施形態を、図面を参照しながら説明する。なお、各図面における部材の縮尺は実際のものとは異なる。また、本願において、数値範囲を示す際に用いる符号「〜」は、その両端の数値を含む。さらに、各図において一点鎖線はランプ軸Ｊを示し、当該ランプ軸Ｊと平行である矢印Ｘで指す方向は、光源装置の前方であって照明方向でもある。
【００１４】
［実施形態］
（概略構成）
図１は、本実施形態に係る光源装置を示す斜視図である。図２は、本実施形態に係る光源装置を示す分解断面図である。
【００１５】
図１に示すように、本実施形態に係る光源装置は、ＪＩＳ  Ｃ  ７５２７に定義されているハロゲン電球の規格に準じた形状を有するＬＥＤランプ１であり、ハロゲン電球の代替品となりうる。図２に示すように、ＬＥＤランプ１は、ボディ１０、発光モジュール２０、光学部材３０、前面カバー４０、絶縁部材５０、回路ユニット６０、ケース７０、および、口金８０を備える。
【００１６】
（ボディ）
図３は、本実施形態に係るボディを示す斜視図である。図３に示すように、ボディ１０は、前方側に開口１１を有する有底筒状であって、筒軸がランプ軸Ｊと一致する略円筒状の筒部１２と、筒部１２の後方を閉塞する略円板状の底部１３とを有する。より具体的なボディ１０の形状としては、筒部１２が後方から前方に向かって漸次拡径した底の平らな椀状である。なお、ボディ１０の形状は上記に限定されない。例えば、前方と後方の両方に開口を有する円筒状でも良い。また、筒状であれば円筒状に限らず、楕円筒状や角筒状であっても良い。さらに、径の均一な筒状でも良いし、後方から前方へ向かって漸次縮径した筒状であっても良い。
【００１７】
ボディ１０の内部には、発光モジュール２０および光学部材３０が収容されている。ボディ１０が金属製であるため、ボディ１０は、内部の発光モジュール２０で発生した熱を外部へ逃がすヒートシンクとして機能する。ボディ１０に使用される金属としては、放熱性、耐熱性および軽量性等を考慮して、アルミが好適である。
【００１８】
筒部１２の開口側端部１０ａには、開口１１を囲繞するように略円環状のフランジ部１４が設けられている。フランジ部１４のランプ軸Ｊと直交する外方への延出幅は例えば１．６±０．１５ｍｍ（好適範囲は１．０ｍｍ〜３．５ｍｍ）である。前面カバー４０は、そのフランジ部１４に後述する爪部４４を係止させることによって開口側端部１０ａに嵌め込まれて取り付けられている。前面カバー４０の取り付け構造についての詳細は後述する。
【００１９】
フランジ部１４の後面１４ａには、複数の突起１５がフランジ部周方向に沿って間隔を空けながら設けられている。具体的には、４つの突起１５が等間隔で（回転角が９０°となる間隔を空けて）配置されている。なお、突起１５の数は４つ以外の複数でも良く、１つでも良い。但し、爪部４４の係止の邪魔にならず、かつ、前面カバー４０の空回り量を少なく抑えるためには、２〜１６個であることが好ましい。また、突起１５同士の間隔は任意であり、等間隔に配置しても良いし、異なる間隔で配置されていても良い。爪部４４の回転を突起１５によって規制する際に、複数箇所あるいは全ての箇所が同時に接することで回転に対する抵抗が大きくなり、カバーの空回り防止効果が大きくなる。
【００２０】
図４は本実施形態に係る突起を説明するための図であって、図４（ａ）は突起を後方側から見た斜視図、図４（ｂ）は図４（ａ）における矢印Ａの方向から見た突起を示す図、図４（ｃ）は図４（ａ）における矢印Ｂの方向から見た突起を示す図である。
【００２１】
突起１５は、例えば打ち出し成形により形成されたものであって、フランジ部１４の前面には打ち出し成形の際に生じる窪み１６が残存している。なお、突起１５を形成する方法は、打ち出し成形に限定されず、プレス成形などの他の方法であっても良い。
【００２２】
図４（ａ）に示すように、突起１５は略半円柱形状である。具体的には、図４（ｂ）に示すように、図４（ａ）における矢印Ａの方向から見た突起１５の形状（突起１５の後方からランプ軸Ｊと平行な方向に沿って前方を見た際の突起１５の形状）は、略半円形であり、その半円の半径Ｒは、例えば１±０．０５ｍｍ（好適範囲は０．５ｍｍ〜３．０ｍｍ）であり、突起１５のフランジ部周方向（周壁部周方向）に沿った幅Ｗ１は、２．０±０．１ｍｍ（好適範囲は１．０ｍｍ〜６．０ｍｍ）である。
【００２３】
また、図４（ｃ）に示すように、図４（ａ）における矢印Ｂの方向から見た突起１５の形状（フランジ部１４の外側からランプ軸Ｊと直交する方向に沿ってランプ軸Ｊを見た際の突起１５の形状）は、略長方形であり、その長方形の短辺、すなわちフランジ部１４の後面１４ａからの突出幅Ｗ２は、例えば０．５±０．０５ｍｍ（好適範囲は０．２ｍｍ〜２．０ｍｍ）である。
【００２４】
図４（ａ）に戻って、突起１５は、フランジ部１４の後面１４ａに対して垂直なストッパ面１５ａを有する。図４（ｂ）に示すように、ストッパ面１５ａは、略円弧状に湾曲した曲面であって、ストッパ面１５ａとしての機能を主に発揮するのは、ストッパ面１５ａにおける前記円弧の両端付近に相当する領域であり、その領域に前面カバー４０の爪部４４が当たり、爪部４４の移動が規制される。
【００２５】
（発光モジュール）
図２に戻って、発光モジュール２０は、ＬＥＤランプ１の光源であって、モジュール基板２１と、モジュール基板２１の略中央に実装されたＬＥＤユニット２２とを備え、ボディ１０内部における底部１３上の略中央位置に搭載されている。ＬＥＤユニット２２は、例えば、ユニット基板２３と、ユニット基板２３に実装された発光色が青色のＩｎＧａＮ系のＬＥＤチップ２４と、ＬＥＤチップ２４を封止する黄緑色発光の蛍光体を含んだ半球状の封止部２５とを有し、前記ＬＥＤチップ２４から発せられた青色光の一部を蛍光体によって黄緑色に色変換し、青色と黄緑色との混色により生じた白色光を出射する。
【００２６】
（光学部材）
光学部材３０は、例えば、透明アクリル樹脂などの透光性材料製であって、略円錐台形状のレンズ部３１と、レンズ部３１の周面に延設された略円環板状の外縁部３２とを有し、それらレンズ部３１と外縁部３２とは一体成形されている。
【００２７】
レンズ部３１は、ボディ１０内部の略中央であって発光モジュール２０の前方に位置する。レンズ部３１は、後方側端部に略円柱形状の凹部３３を有し、凹部３３内にＬＥＤユニット２２の封止部２５を嵌め込むことによって、光学部材３０がＬＥＤユニット２２に対し位置決めされている。
【００２８】
発光モジュール２０からの出射光は、主に、凹部３３からレンズ部３１内に入射し、レンズ部３１を透過して、レンズ部３１の前面からボディ１０の外部へ取り出される。レンズ部３１を透過する際に出射光の配光特性は変化する。具体的には、出射光がレンズ部３１で集束されて反射鏡付きハロゲン電球に似たスポット光となる。なお、レンズ部３１の前面には、例えば、出射光を拡散させるための複数の凹凸が設けられた光拡散加工が施されている。
【００２９】
外縁部３２は、ボディ１０の開口１１を塞ぐように前面カバー４０の後方側に位置しており、外縁部３２の前面と前面カバー４０の後面とは、面接触した状態で対向している。外縁部３２と前面カバー４０とが面接触しているため、光学部材３０の熱が前面カバー４０へ伝導し易い。そのため、ＬＥＤユニット２２で発生した熱を、光学部材３０を介して前面カバー４０から外部へ効率良く逃がすことができる。
【００３０】
外縁部３２の前方は、前面カバー４０によって覆われている。これにより、ボディ１０内部に収容された発光モジュール２０が外部から透けて見え難くなっており、ＬＥＤランプ１は外観特性が良好である。前面カバー４０が透光性の場合は、光学部材３０からわずかに漏れ出た光を透過させることができ、ランプ前面全体が光る効果がある。
【００３１】
（前面カバー）
図５は、本実施形態に係る前面カバーを説明するための図であって、図５（ａ）は前面カバーを後方から見た斜視図、図５（ｂ）は図５（ａ）における二点鎖線で囲んだ部分の拡大図である。
【００３２】
図５（ａ）に示すように、前面カバー４０は、例えば、略円形の光出射窓４１を有する平板円環状の本体部４２と、本体部４２の外周縁から後方に向けて延出する短筒状の周壁部４３とを備えている。なお、前面カバー４０の形状は上記に限定されず、ボディ１０の開口１１の形状に合わせてどのような形状であっても良い。
【００３３】
前面カバー４０は、白色のＰＢＴ（ポリブチレンテレフタレート）など非透光性樹脂で形成されている。ＰＢＴは耐熱性が高く適度な弾力があり、耐候性に優れるため前面カバー４０の材料として好適である。なお、前面カバー４０を構成する樹脂はＰＢＴに限定されず、アクリル、ＰＣ（ポリカーボネート）等であっても良い。また、前面カバー４０は、白色に限定されず色は任意である。透明、半透明でもよい。
【００３４】
前面カバー４０には、外周縁部である周壁部４３に複数の爪部４４が設けられており、前面カバー４０の内面と爪部４４との間にフランジ部１４を挟んで互いに保持している。具体的には、爪部４４の数は８つであって、周壁部４３の内周面４３ａにおける後方側端縁付近に、周壁部４３の周方向に沿って等間隔を空けながら配置されており、それぞれがランプ軸Ｊ側に突出するように設けられている。なお、爪部４４の数は８つに限定されないが、前面カバー４０を取り付け易く、かつ、取り付けた前面カバー４０が不用意に外れ難く、さらに、ＬＥＤランプ１を分解する際に前面カバー４０が取り外し易いように、３つ〜３０つであることが好ましい。
【００３５】
図５（ｂ）に示すように、各爪部４４の後面４４ａはテーパ面となっており、フランジ部１４の後側に爪部４４が回り込み易くなっている。これにより、前面カバー１４０をボディ１０に取り付け易いと共に、取り付けの際に爪部４４が破損し難い。なお、各爪部４４の後面４４ａをＲ形状としても同様の効果を得ることが可能である。
【００３６】
一方、各爪部４４の前面４４ｂは平坦になっているため、フランジ部１４に爪部４４を係止させた状態において、フランジ部１４の後面１４ａと爪部４４の前面４４ｂとが密着し易く、爪部４４がフランジ部１４から外れ難くなっている。
【００３７】
各爪部４４は周壁部４３の周方向に沿った幅Ｗ３は、例えば４．０±０．１ｍｍ（好適範囲は２ｍｍ〜１５ｍｍ）であり、周壁部４３の内周面４３ａから垂直方向へ向けての突出幅Ｗ４は、例えば０．６５±０．０５ｍｍ（好適範囲は０．２５ｍｍ〜１．５ｍｍ）である。また、爪部４４のランプ軸Ｊと平行な方向の幅は、最も広い付け根部分の幅Ｗ５が、例えば０．５ｍｍ〜０．６ｍｍ（好適範囲は０．３ｍｍ〜１．５ｍｍ）、最も狭い先端部分の幅Ｗ６が、例えば０．２５±０．０５ｍｍ（好適範囲は幅Ｗ５との差が０ｍｍ〜１．２ｍｍ）である。
【００３８】
本体部４２には、爪部４４と対応する位置に孔部４５が設けられている。このような孔部４５が設けられているため、複雑な形状の前面カバー４０を、構成部品数の少ないシンプルな金型で樹脂成形可能であり、成型時の簡略化が図れる。また、本体部４２の後面には、略円環状のリブ４６が設けられており、前面カバー４０の強度が補強されている。
【００３９】
前面カバー４０は、ボディ１０に取り付けられた状態において、光学部材３０を後方に付勢しており、これによって、前面カバー４０と外縁部３２とが面接触し、レンズ部３１が発光モジュール２０に当接されている。これにより、光学部材３０の前後方向への移動が規制され、光学部材３０の位置ずれやがたつきが防止されている。また、前面カバー４０と外縁部３２とがより密着しているため、熱が光学部材３０から前面カバー４０へ伝導し易く、ＬＥＤランプ１の放熱性が向上している。
【００４０】
（絶縁部材）
図２に戻って、絶縁部材５０は、回路ユニット６０とボディ１０との電気的な絶縁を図るためのものであって、樹脂、セラミック等の絶縁性の材料で形成されている。絶縁部材５０は略円板形状であって、ボディ１０の底部１３と略同じ径であって、底部１３の後方に配置されている。
【００４１】
（回路ユニット）
回路ユニット６０は、例えば、商用電源から供給された交流電力を直流電力に整流する整流回路、および、整流回路により整流された直流電力の電圧値を調整する電圧調整回路などからなる点灯回路を含み、口金８０のシェル部８１およびアイレット部８２、並びに、ＬＥＤユニット２２と電気的に接続されており、シェル部８１およびアイレット部８２を介して照明器具（不図示）から受電し、ＬＥＤユニット２２のＬＥＤチップ２４を発光させる。
【００４２】
回路ユニット６０の各回路機能は、複数の電子部品６１により達成されており、それらの電子部品６１は基板６２に実装されている。
【００４３】
（ケース）
ケース７０は、例えば円筒形状であって、前方側に位置する大径部７１と大径部７１の後方側に延設された小径部７２とを有し、絶縁部材５０を挟んだ状態でボディ１０の後方側に取り付けられている。大径部７１には、主に回路ユニット６０が収容され、小径部７２には口金８０が外嵌されている。ケース７０は、回路ユニット６０の絶縁性を確保する機能を有し、例えば樹脂やセラミック等の絶縁性の材料で形成されている。
【００４４】
（口金）
口金８０は、ねじ込み形の口金であって、シェル部８１およびアイレット部８２を備え、照明器具に装着されたＬＥＤランプ１がソケット（不図示）から電力を受けるためのものである。ねじ込み形の口金としては、Ｅ１０、Ｅ１１、Ｅ１２、Ｅ１４、Ｅ１７、Ｅ２６、Ｅ２７、Ｅ３９などのＥ型の口金や、ＥＺ型の口金等が考えられる。
【００４５】
（光源装置の組み立て）
図３に示すように、ボディ１０の底部１３には、ねじ止めのためのねじ孔１７と、配線のための配線孔１８が設けられている。また、図２に示すように、絶縁部材５０にも、ねじ孔５１および配線孔５２が設けられている。さらに、発光モジュール２０のモジュール基板２１にもねじ孔２６が設けられており、ケース７０にもねじ孔７３が設けられている。ボディ１０、発光モジュール２０、絶縁部材５０およびケース７０は、３本のねじ９０を、それぞれモジュール基板２１のねじ孔２６、ボディ１０のねじ孔１７、および、絶縁部材５０のねじ孔５１に、その順で挿通し、その状態でさらにねじ９０を、ケース７０のねじ孔７３にねじ込むことによって、組み立てられている。また、発光モジュール２０の配線（不図示）はボディ１０の配線孔１８および絶縁部材５０の配線孔５２を介してケース７０の内部へと導出され、回路ユニット６０と電気的に接続されている。
【００４６】
（爪部とフランジ部との係止構造）
図６は、突起による爪部の移動規制の態様を説明するための図であって、図６（ａ）は後方から見た光源装置を示す図、図６（ｂ）は係止部分を示す斜視図である。なお、図６（ｂ）においては、個々の爪部４４を区別するために、各爪部４４を示す符号にそれぞれ異なるアルファベットを付与している。
【００４７】
図６に示すように、前面カバー４０は、周壁部４３でフランジ部１４を覆うようにして、ボディ１０の開口側端部１０ａに嵌め込まれている。さらに、爪部４４がフランジ部１４に係止されている。各爪部４４がフランジ部１４の後方に回り込むため、フランジ部１４が各爪部４４と本体部４２とに挟まれた状態になり、前面カバー４０のボディ１０に対する前後方向への移動が規制される。また、周壁部４３がフランジ部１４の外周を囲繞するため、前面カバー４０のボディ１０に対するランプ軸Ｊと直交する方向への移動が規制される。
【００４８】
前面カバー４０は、爪部４４が間隔を空けながら複数配置されているため、各爪部４４は独立してそれぞれボディ１０のフランジ部１４に係止される。したがって、爪部４４は、そのうちの一つがフランジ部１４から外れてしまったとしても、その影響で他の爪部４４までもが外れるようなことが起こり難く、前面カバー４０が不用意にボディ１０から外れることが起こり難い。さらに、前面カバー４０を着脱する際に爪部４４にかかる応力を、各爪部４４に分散させることができるため、着脱がスムーズであり爪部４４が破損し難い。
【００４９】
フランジ部１４の突起１５のストッパ面１５ａによって、前面カバー４０のボディ１０に対するランプ軸Ｊを中心とする回転が規制されている。図６（ａ）に示すように、前面カバー４０をボディ１０に取り付けた状態において、周壁部４３の周方向に隣接する爪部４４と爪部４４との間には、１つおきに突起１５が存在している。
【００５０】
ＬＥＤランプ１を照明器具に装着する場合、前面カバー４０の主に周壁部４３を手で掴んで、前面カバー４０を図中の矢印のＣで示す方向（後方から見てランプ軸Ｊを中心として左回り）に回転させることになる。その際、図６（ａ）に示すように、どの爪部４４もどの突起１５と接触していなければ、前面カバー４０がボディ１０に対して空回りする。
【００５１】
図６（ｂ）に示す状態で前面カバー４０が右回りに空回りすれば、爪部４４（Ａ）が矢印のＣで示す方向に回転して突起１５に近づく。さらに空回りが進めば、爪部４４（Ａ）は突起１５に当たってそれ以上は回転できない。これにより、前面カバー４０の空回りが止まり、前面カバー４０はボディ１０に対して空回りしなくなるため、前面カバー４０に付与した回転力がボディ１０に伝わる。ボディ１０が回転すれば、ねじ９０によってボディ１０と一体に固定された口金８０も回転するため、口金８０がソケットへ螺合され、ＬＥＤランプ１が照明器具に装着される。
【００５２】
逆に、照明器具からＬＥＤランプ１を外す際には、前面カバー４０を図中の矢印のＤで示す方向（後方から見てランプ軸Ｊを中心として右回り）に回転させることになるが、この場合も、図６（ａ）に示すように、どの爪部４４もどの突起１５と接触していなければ、図６（ｂ）に示す状態から、前面カバー４０がボディ１０に対して空回りし、爪部４４（Ｂ）が矢印のＤで示す方向に回転して突起１５に近づき、さらに空回りが進めば、爪部４４（Ｂ）は突起１５に当たってそれ以上は回転できない。これにより、前面カバー４０はボディ１０に対して空回りしなくなるため、前面カバー４０に付与した回転力がボディ１０に伝わり、ボディ１０が回転することで口金８０も回転するため、口金８０がソケットから外れ、ＬＥＤランプ１が照明器具から外れる。
【００５３】
本実施の形態では、図４（ｃ）に示すように、フランジ部１４の後面１４ａに対して突起１５のストッパ面１５ａの角度θが垂直となっている。したがって、図中に二点鎖線で示すように、フランジ部１４の後面１４ａに対してストッパ面１５ｂの角度θが鈍角となっている場合と比べて、爪部４４がストッパ面１５ａを横滑りして突起１５を乗り越え難い。すなわち、爪部４４が突起１５の後方を迂回するように移動し難い。したがって、爪部４４の移動をより確実に規制することができ、前面カバー４０の空回りを効率良く抑制することができる。このような効果は、ストッパ面１５ａがフランジ部１４の後面１４ａと鋭角で対向している場合にも発揮される。
【００５４】
また、本実施の形態では、図４（ｂ）に示すように、突起１５のフランジ部周方向に沿った幅Ｗ１は、ランプ軸Ｊから離れるほど大きくなっており、ランプ軸Ｊから最も遠い部分において最大である。したがって、図中に二点鎖線で示すように、幅Ｗ１がランプ軸Ｊから離れるほど小さくなっている場合と比べて、爪部４４がストッパ面１５ａを横滑りして突起１５を乗り越え難い。すなわち、爪部４４が突起１５の側方（ランプ軸Ｊから離れる側）を迂回するように移動し難い。したがって、爪部４４の移動をより確実に規制することができ、前面カバー４０の空回りを効率良く抑制することができる。
【００５５】
なお、ストッパ面１５ａは、爪部４４が当たった際にその爪部４４と面接触するような形状であることがより好ましい。
【００５６】
以上に説明した爪部４４とフランジ部１４との係止構造では、前面カバー４０を回転させても、爪部４４が突起１５に当たるまでは前面カバー４０は空回りする。すなわち前面カバー４０はランプ軸Ｊを中心とする回転方向に遊度のある状態でボディ１０に取り付けられている。このような遊度を持たせることで、爪部４４と突起１５とのランプ軸Ｊを中心とする回転方向の位置決め、すなわち前面カバー４０とボディ１０とのランプ軸Ｊを中心とする回転方向の位置決めが不要になる。
【００５７】
なお、遊度は必ずしも必要ではなく、遊度のない場合として、例えば、２つの突起１５で１つの前面カバー爪４４を隙間なく挟み込むような構造が考えられる。この場合は、ＬＥＤランプ１を照明器具に装着する場合と照明器具から外す場合の両方において、爪４４が突起１５に当たるまでの空回りをなくすことができる。
【００５８】
［変形例］
以上、本発明に係る光源装置を実施の形態に基づいて具体的に説明してきたが、本発明に係る光源装置は、上記の実施の形態に限定されない。
【００５９】
例えば、発光モジュールは、ＬＥＤを利用したモジュールに限定されず、半導体レーザーダイオードや電界発光素子などを利用したモジュールであっても良い。また、発光モジュールの発光色は白色に限定されず、任意の色を採用することが可能である。
【００６０】
また、前面カバーは、上記実施の形態に係る前面カバー４０のような形状に限定されない。図７は、変形例に係る前面カバーを示す斜視図である。図７に示すように、変形例に係る前面カバー１４０は、上記実施の形態に係る前面カバー４０のように、本体部４２の外周の全周に亘って周壁部４３が形成されているのではなく、本体部１４２の外周に間隔を空けながら複数の周壁部１４３が形成されている。
【００６１】
前面カバー１４０は、略円形の光出射窓１４１を有する平板円環状の本体部１４２と、その本体部１４２の外周方向に沿って間隔を空けながら設けられた複数の略帯状の周壁部１４３とを有し、各周壁部１４３の先端には爪部１４４が設けられている。そして、それら爪部１４４をボディ１０のフランジ部１４の後方に回り込ませることで、爪部１４４がフランジ部１４に係止される。前面カバー１４０がこのような形状の場合にも、ボディ１０のフランジ部１４の後面１４ａに突起１５が設けられていれば、前面カバー１４０がボディ１０に対して空回りすることを規制することができる。
【産業上の利用可能性】
【００６２】
本発明に係る光源装置は、照明用途全般に広く利用可能である。
【符号の説明】
【００６３】
１  光源装置
１０  ボディ
１０ａ  開口側端部
１１  開口
１４  フランジ部
１４ａ  後面
１５  突起
１５ａ  ストッパ面
２０  発光モジュール
４０，１４０  前面カバー
４３，１４３  外周縁部
４４，１４４  爪部
【図１】
2012098594.tif 000003
【図２】
2012098594.tif 000004
【図３】
2012098594.tif 000005
【図４】
2012098594.tif 000006
【図５】
2012098594.tif 000007
【図６】
2012098594.tif 000008
【図７】
2012098594.tif 000009
【図８】
2012098594.tif 000010
【図９】
2012098594.tif 000011
【国際調査報告】
2012098594.tif 000012
2012098594.tif 000013